(57)【特許請求の範囲】
【請求項１】
手書き文字の文字練習シートを作成して印刷する印刷システムであって、
印刷装置と、前記印刷装置と接続可能であるサーバーとを含み、
前記サーバーは、
見本文字のデータを格納する格納部を含み、
前記印刷装置は、
原稿の画像を読み取る画像読み取り部と、
画像を形成して用紙に印刷する印刷部と、
前記画像読み取り部により読み取られた前記原稿の画像から、ＯＣＲ（Ｏｐｔｉｃａｌ  Ｃｈａｒａｃｔｅｒ  Ｒｅｃｏｇｎｉｔｉｏｎ）により手書き文字を抽出する手書き文字データ抽出部と、
前記手書き文字データ抽出部により抽出された前記手書き文字に対応する見本文字のデータを前記格納部から導出する見本文字データ導出部と、
前記手書き文字データ抽出部により抽出された前記手書き文字と前記見本文字データ導出部により導出された前記見本文字との一致率が第一の割合以下であるか否かを判断する判断部と、
前記判断部により前記一致率が前記第一の割合以下であると判断されれば、前記手書き文字に対応する前記見本文字を示し、示された前記見本文字の横および下に手書き練習用の欄を設けた文字練習シートを作成する文字練習シート作成部と、
前記文字練習シート作成部により作成された前記文字練習シートを前記印刷部により用紙に印刷するよう制御する印刷制御部とを備える、印刷システム。
【請求項２】
前記一致率が前記第一の割合以下であると判断された前記手書き文字と類似する類似の見本文字のデータを前記格納部から導出する類似文字データ導出部をさらに備え、
前記文字練習シート作成部は、前記見本文字の横に設けられた前記手書き練習用の欄のさらに横に前記類似文字データ導出部により導出された前記類似の見本文字を示し、示された前記類似の見本文字のさらに横に手書き練習用の欄を設けて前記文字練習シートを作成する、請求項１に記載の印刷システム。
【請求項３】
前記文字練習シート作成部は、前記見本文字を灰色で示した練習用文字を、前記見本文字の下に設けられた前記手書き練習用の欄に示して前記文字練習シートを作成する、請求項１または２に記載の印刷システム。
【請求項４】
前記文字練習シート作成部は、前記手書き練習用の欄に示された前記練習用文字の灰色の濃淡を変えて複数示して作成する、請求項３に記載の印刷システム。
【請求項５】
前記判断部は、前記一致率が前記第一の割合よりも低い第二の割合以下であるか否かを判断し、
前記判断部により前記一致率が前記第二の割合以下であると判断されれば、前記手書き文字に対応する前記見本文字の候補を表示して前記文字練習シートの作成者に選択させる選択部をさらに備える、請求項１〜４のいずれか１項に記載の印刷システム。
【請求項６】
前記文字練習シートで練習を行う文字練習の対象者の情報の入力を受け付ける入力受け付け部をさらに備え、
前記文字練習シート作成部は、前記入力受け付け部により受け付けられた前記文字練習の対象者の情報に基づいて、前記文字練習シートを作成する、請求項１〜５のいずれか１項に記載の印刷システム。
【請求項７】
前記文字練習の対象者の情報は、前記文字練習の対象者の年齢および前記文字練習の対象者の学年のうちの少なくともいずれか一つである、請求項６に記載の印刷システム。
【請求項８】
前記手書き文字データ抽出部は、前記画像読み取り部により、手書き前の原稿と手書き後の原稿とが読み取られれば、前記画像読み取り部により読み取られた前記手書き前の原稿と前記手書き後の原稿との差分から、前記手書き文字データを抽出する、請求項１〜７のいずれか１項に記載の印刷システム。
【請求項９】
前記画像読み取り部により、練習後の前記文字練習シートを読み取れば、前記判断部により前記一致率の向上度合いを算出して出力する向上度合い算出部をさらに備える、請求項１〜８のいずれか１項に記載の印刷システム。
【請求項１０】
手書き文字の文字練習シートを作成して印刷する印刷装置であって、
原稿の画像を読み取る画像読み取り部と、
画像を形成して用紙に印刷する印刷部と、
前記画像読み取り部により読み取られた前記原稿の画像から、ＯＣＲ（Ｏｐｔｉｃａｌ  Ｃｈａｒａｃｔｅｒ  Ｒｅｃｏｇｎｉｔｉｏｎ）により手書き文字を抽出する手書き文字データ抽出部と、
見本文字のデータを格納する格納部と、
前記手書き文字データ抽出部により抽出された前記手書き文字に対応する見本文字のデータを前記格納部から導出する見本文字データ導出部と、
前記手書き文字データ抽出部により抽出された前記手書き文字と前記見本文字データ導出部により導出された前記見本文字との一致率が第一の割合以下であるか否かを判断する判断部と、
前記判断部により前記一致率が前記第一の割合以下であると判断されれば、前記手書き文字に対応する前記見本文字を示し、示された前記見本文字の横および下に手書き練習用の欄を設けた文字練習シートを作成する文字練習シート作成部と、
前記文字練習シート作成部により作成された前記文字練習シートを前記印刷部により用紙に印刷するよう制御する印刷制御部とを備える、印刷装置。
【発明の詳細な説明】
【技術分野】
【０００１】
この発明は、印刷システム、および印刷装置に関するものである。
【背景技術】
【０００２】
複合機に代表される印刷装置においては、画像読み取り部で原稿の画像を読み取った後、印刷部に備えられる感光体に対して読み取った画像を基に光を照射し、感光体上に静電潜像を形成する。その後、形成した静電潜像の上に帯電したトナーを供給して可視画像とした後、用紙にトナーを転写して定着させ、装置外に出力する。
【０００３】
ここで、出力装置において、出力物の修正や補正を行う技術が、特開２０１０−２０４８９８号公報（特許文献１）、および特開平６−１３９２４３号公報（特許文献２）に開示されている。
【０００４】
特許文献１に開示の印刷装置は、文字を含む原稿から画像データを読み取る読み取り手段と、読み取り手段により取得された画像データに基づいて、原稿に含まれる文字に対応する文字データと、当該文字データに対する処理機データと、を含む文書データを取得する文書取得手段と、書式データに基づいて、同一の書式が対応付けられた連続する文字データから構成されるテキストブロックを作成するブロック作成手段と、ユーザーの操作に用いられる操作手段と、操作手段の操作に基づいて、操作手段により特定された特定テキストブロックの文書データにおける配置を変更するブロック配置変更手段と、ブロック配置変更手段により特定テキストブロックの配置を変更することで、文書データにおいて、複数のテキストブロックの配置領域が重複した重複領域が発生した場合に、配置が変更されたテキストブロックとの間に重複領域が生じた対象テキストブロックを所定方向に移動し、重複領域を解消するレイアウト調整手段と、文書データを用紙に印刷する印刷手段とを備えることを特徴としている。
【０００５】
特許文献２に開示の文字フォント補正機能付きワードプロセッサは、手書き文字入力が可能なタブレットを表示画面上に有するワードプロセッサである。特許文献２に開示の文字フォント補正機能付きワードプロセッサは、表示画面にペンタッチで手書き文字入力することが可能な入力手段と、入力された手書き文字の文字フォント及び補正された文字フォントを表示画面に出力する表示手段と、補正するための手本となる文字フォントとその文字フォントを形成するパーツデータを対にして予め記憶しているパーツ情報記憶手段と、入力された手書き文字を読み取りパーツ情報記憶手段から何の文字フォントであるか認識する文字認識手段と、認識された手書き文字をパーツに分解し、手書き文字に最も近い形状のパーツデータパーツ情報記憶手段から検索するパーツ検索手段と、手書き文字のサイズ／配置と検索されたパーツデータに基づいて文字フォントを補正すると共にドットフォントデータを作成するフォント作成手段と、作成されたドットフォントデータにコード番号を対応させ順次ドットフォントを記憶するフォント情報記憶手段と、このコード番号によりフォント情報記憶手段からドットフォントデータを表示手段に呼び出しの指示をする表示指示手段を備えたことを特徴としている。
【先行技術文献】
【特許文献】
【０００６】
【特許文献１】特開２０１０−２０４８９８号公報
【特許文献２】特開平６−１３９２４３号公報
【発明の概要】
【発明が解決しようとする課題】
【０００７】
文字を手で書く際の手書き文字の文字練習シートを作成しようとする場合、採点を行う学校や塾の先生といった文字練習シートの作成者は、手書きされた原稿を見て、練習した方がよいと考えられる文字をまず抽出する。そして、その文字に対応する見本文字を導出した上で、見本文字と、その文字の横に空欄を設けた文字練習シートのフォームを作成し、印刷装置によって印刷して出力する。
【０００８】
このような採点者の作業、具体的には、練習した方がよいと考えられる文字の抽出や、見本文字の導出等は、非常に手間がかかり煩雑さを招くこととなる。すなわち、文字練習シートを作成する際の文字練習シートの作成者の手間の軽減が求められる。このような状況下において、上記した特許文献１および特許文献２に開示の技術では、対応することができない。
【０００９】
この発明の目的は、手書き文字の文字練習シートを容易に作成することができる印刷システムを提供することである。
【００１０】
この発明の他の目的は、手書き文字の文字練習シートを容易に作成することができる印刷装置を提供することである。
【課題を解決するための手段】
【００１１】
この発明の一の局面においては、印刷システムは、手書き文字の文字練習シートを作成して印刷する。印刷システムは、印刷装置と、印刷装置と接続可能であるサーバーとを含む。サーバーは、見本文字のデータを格納する格納部を含む。印刷装置は、画像読み取り部と、印刷部と、手書き文字データ抽出部と、見本文字データ導出部と、判断部と、文字練習シート作成部と、印刷制御部とを備える。画像読み取り部は、原稿の画像を読み取る。印刷部は、画像を形成して用紙に印刷する。手書き文字データ抽出部は、画像読み取り部により読み取られた原稿の画像から、ＯＣＲ（Ｏｐｔｉｃａｌ  Ｃｈａｒａｃｔｅｒ  Ｒｅｃｏｇｎｉｔｉｏｎ）により手書き文字を抽出する。格納部は、見本文字のデータを格納する。見本文字データ導出部は、手書き文字データ抽出部により抽出された手書き文字に対応する見本文字のデータを格納部から導出する。判断部は、手書き文字データ抽出部により抽出された手書き文字と見本文字データ導出部により導出された見本文字との一致率が第一の割合以下であるか否かを判断する。文字練習シート作成部は、判断部により一致率が第一の割合以下であると判断されれば、手書き文字に対応する見本文字を示し、示された見本文字の横および下に手書き練習用の欄を設けた文字練習シートを作成する。印刷制御部は、文字練習シート作成部により作成された文字練習シートを印刷部により用紙に印刷するよう制御する。
【００１２】
この発明の他の局面においては、印刷装置は、手書き文字の文字練習シートを作成して印刷する。印刷装置は、画像読み取り部と、印刷部と、手書き文字データ抽出部と、格納部と、見本文字データ導出部と、判断部と、文字練習シート作成部と、印刷制御部とを備える。画像読み取り部は、原稿の画像を読み取る。印刷部は、画像を形成して用紙に印刷する。手書き文字データ抽出部は、画像読み取り部により読み取られた原稿の画像から、ＯＣＲ（Ｏｐｔｉｃａｌ  Ｃｈａｒａｃｔｅｒ  Ｒｅｃｏｇｎｉｔｉｏｎ）により手書き文字を抽出する。格納部は、見本文字のデータを格納する。見本文字データ導出部は、手書き文字データ抽出部により抽出された手書き文字に対応する見本文字のデータを格納部から導出する。判断部は、手書き文字データ抽出部により抽出された手書き文字と見本文字データ導出部により導出された見本文字との一致率が第一の割合以下であるか否かを判断する。文字練習シート作成部は、判断部により一致率が第一の割合以下であると判断されれば、手書き文字に対応する見本文字を示し、示された見本文字の横および下に手書き練習用の欄を設けた文字練習シートを作成する。印刷制御部は、文字練習シート作成部により作成された文字練習シートを印刷部により用紙に印刷するよう制御する。
【発明の効果】
【００１３】
このような印刷システムによると、手書きされた手書き原稿を読み取らせれば、見本文字と手書き文字との一致率に基づいて練習対象となる文字を抽出し、格納部に格納された見本文字を導出して、文字練習シートを作成することができる。したがって、このような印刷システムによると、手書き文字の文字練習シートを容易に作成することができる。
【００１４】
また、このような印刷装置によると、手書き文字の文字練習シートを容易に作成することができる。
【図面の簡単な説明】
【００１５】
【図１】この発明の一実施形態に係る印刷システムの外観を示す概略図である。
【図２】図１に示す印刷システムの構成を示すブロック図である。
【図３】操作部の構成を示す図である。
【図４】制御部の構成を示すブロック図である。
【図５】複合機により文字練習シートを作成して印刷する場合の処理の流れを示すフローチャートである。
【図６】表示画面の一例を示す図である。
【図７】作成された文字練習シートの一例を示す図である。
【図８】文字練習シートにより文字を練習した後の処理の流れを示すフローチャートである。
【発明を実施するための形態】
【００１６】
以下、この発明の実施の形態を説明する。図１は、この発明の一実施形態に係る印刷システム２４の外観を示す概略図である。図２は、図１に示す印刷システム２４の構成を示すブロック図である。
【００１７】
図１および図２を参照して、印刷システム２４は、ネットワーク２３に接続可能であり、この発明の一実施形態に係る印刷装置としての複合機１１と、複合機１１とネットワーク２３を介して接続可能なサーバー２５とを含む。サーバー２５は、ネットワーク２３を介して、複合機１１に対して印刷要求を行うことができる。
【００１８】
ここでまず、サーバー２５の構成について説明する。サーバー２５は、ネットワーク２３を介して、複合機１１に接続可能に構成されている。サーバー２５には、ディスプレイ２７と、キーボード２８と、マウス２９とが接続されている。ディスプレイ２７により、サーバー２５からの情報やデータが表示される。また、キーボード２８およびマウス２９を用いて、ユーザーは、サーバー２５へのデータの入力を行う。
【００１９】
サーバー２５には、データを格納する格納部としてのサーバーハードディスク２６が備えられている。サーバーハードディスク２６には、見本文字のデータが格納されている。見本文字とは、手書きをする際の見本となる理想の形をした文字をいう。すなわち、サーバー２５は、見本文字のデータを格納するサーバーハードディスク２６を含む構成である。
【００２０】
次に、複合機１１の構成について説明する。複合機１１は、画像処理に関し、複写機能、プリンター機能、ファクシミリ機能等、複数の機能を有する。複合機１１は、制御部１２と、操作部１３と、画像読み取り部１４と、印刷部１５と、給紙カセット１６と、複合機ハードディスク１７と、ネットワーク２３と接続するためのネットワークインターフェース部１８とを備える。複合機１１は、ネットワーク２３を介してサーバー２５に接続し、サーバーハードディスク２６のデータを取得することができる。
【００２１】
制御部１２は、複合機１１全体の制御を行う。なお、制御部１２は、一時的にデータを記憶する主記憶メモリ１９を含む。操作部１３は、複合機１１側から発信する情報やユーザーの入力内容を表示する表示部としての表示画面２１を含む。操作部１３は、印刷部数や階調等の画像形成の条件といった画像形成に関するユーザーからの入力を受け付ける。画像読み取り部１４は、セット位置にセットされた原稿を読み取り位置に搬送する原稿搬送装置としてのＡＤＦ（Ａｕｔｏ  Ｄｏｃｕｍｅｎｔ  Ｆｅｅｄｅｒ）２２を含む。画像読み取り部１４は、ＡＤＦ２２または不図示の載置台上にセットされた原稿の画像を読み取る。給紙カセット１６は、複数設けられており、それぞれ複数枚の用紙をその内部に収納することができる。印刷部１５は、画像読み取り部１４により読み取られた原稿の画像データやネットワーク２３を介して送信された画像データを基に、給紙カセット１６等から搬送されてきた用紙に画像を形成する。複合機ハードディスク１７は、送信された画像データや入力された画像形成条件等、画像形成に関するデータを記憶する。
【００２２】
次に、上記した操作部１３の構成について説明する。図３は、操作部１３の概略的な構成を示す外観図である。図３を参照して、操作部１３は、印刷部数等を入力させるための０〜９までの数字、および「＊」や「＃」の記号をユーザーに入力させるテンキー３１と、印刷の開始やファクシミリ送信の開始を指示させるスタートキー３２と、複合機１１の電源のオンまたはオフを入力させる電源キー３３と、複合機１１の有するプリンター機能やコピー機能等の選択を指示させるメニューキー３４と、種々の画像形成の条件や使用ユーザーの登録を指示させる登録キー３５と、テンキー３１等を用いてユーザーにより入力された指示の内容をキャンセルさせるリセットキー３６と、上記した表示画面２１とを含む。なお、上記したテンキー３１等は、いわゆるハードキーである。表示画面２１は、液晶のタッチパネル機能を有しており、ユーザーの指での押圧等により、表示画面２１からも画像形成条件等を入力させると共に、機能の選択等を行うことができる。なお、表示画面２１に別途スタートキーやメニューキー等を表示させることもできる。
【００２３】
次に、制御部１２の構成について説明する。図４は、制御部１２の構成を示すブロック図である。図４を参照して、制御部１２は、手書き文字データ抽出部４１と、見本文字データ導出部４２と、判断部４３と、文字練習シート作成部４４と、印刷制御部４５と、類似文字データ導出部４６と、入力受け付け部４７と、向上度合い算出部４８とを備える。
【００２４】
手書き文字データ抽出部４１は、画像読み取り部１４により読み取られた原稿の画像から、ＯＣＲにより手書き文字を抽出する。見本文字データ導出部４２は、手書き文字データ抽出部４１により抽出された手書き文字に対応する見本文字のデータをサーバーハードディスク２６から導出する。判断部４３は、手書き文字データ抽出部４１により抽出された手書き文字と見本文字データ導出部４２により導出された見本文字との一致率が第一の割合以下であるか否かを判断する。文字練習シート作成部４４は、判断部４３により一致率が第一の割合以下であると判断されれば、手書き文字に対応する見本文字を示し、示された見本文字の横に手書き練習用の欄を設けた文字練習シートを作成する。印刷制御部４５は、文字練習シート作成部４４により作成された文字練習シートを印刷部１５により用紙に印刷するよう制御する。
【００２５】
また、類似文字データ導出部４６は、一致率が第一の割合以下であると判断された手書き文字と類似する類似の見本文字のデータをサーバーハードディスク２６から導出する。文字練習シート作成部４４は、見本文字の横に類似文字データ導出部４６により導出された類似の見本文字を示し、示された類似の見本文字の横に手書き練習用の欄を設けて文字練習シートを作成する。
【００２６】
また、入力受け付け部４７は、文字練習シートで練習を行う文字練習の対象者の情報の入力を受け付ける。文字練習シート作成部４４は、入力受け付け部４７により受け付けられた文字練習の対象者の情報に基づいて、文字練習シートを作成する。
【００２７】
また、向上度合い算出部４８は、画像読み取り部１４により、練習後の文字練習シートを読み取れば、判断部４３により一致率の向上度合いを算出して出力する。
【００２８】
ここで、複合機１１を用いて文字練習シートを作成して印刷する場合について説明する。この場合、サーバー２５に備えられるサーバーハードディスク２６に格納された見本文字のデータを利用するものとする。
【００２９】
図５は、複合機１１により文字練習シートを作成して印刷する場合の処理の流れを示すフローチャートである。図５を参照して、文字練習シートの作成者は、複合機１１に対して、文字練習シートの作成モードの要求を行う。この場合、操作部１３を介した文字練習シートの作成者の要求の入力により行われる。そうすると、制御部１２は、文字練習シートの作成モードの要求を受け付ける（図５において、ステップＳ１１、以下、「ステップ」を省略する）。なお、ここでいう文字練習シートの作成者とは、文字練習シートを作成するユーザーであって、具体的には、例えば、塾の講師や学校の先生等である。
【００３０】
その後、入力受け付け部４７により文字練習の対象者の情報の入力を受け付ける（Ｓ１２）。具体的には、文字練習の対象者の年齢や学年の情報である。
【００３１】
図６は、この場合の表示画面２１の一例を示す図である。図６を参照して、表示画面２１には、「文字練習シート作成モード」とのメッセージ５１と、「文字練習の対象者の年齢または学年を入力してください。」との問い合わせのメッセージ５２と、数値の入力により文字練習の対象者の年齢の入力を受け付ける年齢入力受け付け部５３と、数値の入力により文字練習の対象者の学年の入力を受け付ける学年入力受け付け部５４と、「ＯＫ」と示されており、押下により入力を確定させる確定キー５５とが表示されている。文字練習シートの作成者の入力により、入力受け付け部４７は、文字練習の対象者の年齢または学年の入力を受け付ける。
【００３２】
次に、手書き原稿がセットされたか否かが判断される（Ｓ１３）。この手書き原稿については、文字練習の対象者が手書きした原稿である。この場合、ＡＤＦ２２にセットされたか否かが判断される。なお、この手書き原稿のセットについては、載置台上への載置によるセットでもよい。
【００３３】
手書き原稿がセットされ（Ｓ１３において、ＹＥＳ）、スタートキー３２の押下が検知されれば（Ｓ１４）、ＡＤＦ２２により手書き原稿が読み取り位置に搬送される。そして、画像読み取り部１４により手書き原稿の画像が読み取られる（Ｓ１５）。その後、手書き文字データ抽出部４１により、読み取られた画像の中から手書き文字のデータを抽出する（Ｓ１６）。具体的には、例えば、手書き原稿の中から、手書きされた「あ」という平仮名や「道」とかいった漢字の文字が抽出される。この場合、ＯＣＲを利用して、手書き文字を抽出する。
【００３４】
手書き文字のデータの抽出後、見本文字データ導出部４２は、抽出された手書き文字に対応する見本文字のデータをサーバーハードディスク２６から導出する（Ｓ１７）。具体的には、まず、ネットワーク２３を介して、サーバーハードディスク２６に格納された見本文字のデータにアクセスする。そして、ＯＣＲにより抽出した手書き文字に該当する見本文字をサーバーハードディスク２６に格納された数多くの見本文字のデータの中から導出する。この場合、見本文字の「あ」という文字のデータ、および見本文字の「道」という文字のデータを導出する。
【００３５】
その後、判断部４３は、手書き文字データ抽出部４１により抽出された手書き文字と見本文字データ導出部４２により導出された見本文字との一致率が第一の割合以下であるか否かを判断する（Ｓ１８）。具体的には、例えば、該当する見本文字のデータに対して、手書き文字のデータを投影し、見本文字に対する手書き文字の重なりの程度から、一致率を算出する。この算出された一致率について、第一の割合以下であるか否かを判断する。なお、算出された一致率のデータは、複合機ハードディスク１７に記憶される。
【００３６】
判断部４３により、一致率が第一の割合、例えば、８０％以下であると判断されれば（Ｓ１８において、ＹＥＳ）、該当文字を主記憶メモリ１９に記憶させる（Ｓ１９）。ここでは、「あ」という文字、「道」という文字について、記憶されるとする。
【００３７】
その後、判断部４３は、さらに該当文字に類似する文字が検出できたか否かを判断する（Ｓ２０）。この場合、入力受け付け部４７により入力された文字練習の対象者の年齢や学年に基づいて、類似する文字の検出を行う。具体的には、入力された年齢や学年で習熟する漢字のデータに基づいて、類似する文字の検出を行う。
【００３８】
類似する文字が検出できれば（Ｓ２０において、ＹＥＳ）、これも該当文字と同様に、類似文字を主記憶メモリ１９に記憶させる（Ｓ２１）。この場合、「道」という漢字の文字について、類似する漢字の文字として、「建」という文字、そして、しんにょうの部首が共通する「辺」という漢字の文字が「道」という文字の類似の文字として検出される。また、「あ」という平仮名の文字について、類似する文字として、「お」という平仮名の文字が類似の文字として検出される。ここでは、「あ」に類似する文字として、「お」という文字、「道」に類似する文字として、「建」という文字、および「辺」という文字が主記憶メモリ１９に記憶される。
【００３９】
その後、文字練習シート作成部４４は、主記憶メモリ１９に記憶された該当文字および類似文字に基づいて、文字練習シートを作成する（Ｓ２２）。
【００４０】
図７は、作成された文字練習シート６１の一例を示す図である。図７を参照して、文字練習シート６１には、「文字練習シート」との文字６２と、名前の記入欄６３と、文字練習領域６４とが設けられている。図７に示す文字練習シート６１において、文字練習領域６４は、５つの文字に対応する文字練習領域６５ａ、６５ｂ、６５ｃ、６５ｄ、６５ｅに大別される。
【００４１】
文字練習領域６５ａは、「道」という文字について練習する領域であり、文字練習領域６５ｂは、「建」という文字について練習する領域であり、文字練習領域６５ｃは、「辺」という文字について練習する領域であり、文字練習領域６５ｄは、「あ」という文字について練習する領域であり、文字練習領域６５ｅは、「お」という文字について練習する領域である。文字練習領域６５ａ、６５ｄについては、手書き文字データ抽出部４１により抽出された文字に対応するものである。文字練習領域６５ｂ、６５ｃ、６５ｅについては、類似文字に対応するものである。
【００４２】
文字練習領域６５ａの構成について説明すると、以下の通りである。文字練習領域６５ａにおいて、「道」の文字についての黒色で明確に示された見本文字６６ａが、文字練習領域６５ａの右上の欄に設けられている。そして、この見本文字６６ａの下部に５つの欄に亘って薄く「道」と灰色で示された練習用文字としてのなぞり文字６７ａが設けられている。この見本文字６６ａおよびなぞり文字６７ａの左側には、６つの空欄６８ａが設けられている。なお、各文字練習領域６５ｂ〜６５ｅの構成は、文字練習領域６５ａの構成と同じである。
【００４３】
印刷制御部４５は、印刷部１５により、作成された文字練習シート６１を印刷するよう制御する（Ｓ２３）。この処理を次の手書き原稿の文字を読み取って全て終えるまで行う（Ｓ２４において、ＹＥＳ）。
【００４４】
以上が、文字練習シート６１を作成して印刷するまでの処理の流れである。次に、文字を練習した後の処理について説明する。文字練習の対象者は、名前の記入欄６３に名前を記入し、文字の練習を始める。具体的には、見本文字６６ａを見て参考にしながら、なぞり文字６７ａをなぞり、その後、空欄６８ａに該当文字を手書きするといった具合である。
【００４５】
その後、文字練習の対象者から、文字練習シート６１の作成者に手書きされた文字練習シート６１が手渡される。文字練習シート６１の作成者は、この文字練習シート６１から、手書き文字の向上度合いを算出する。すなわち、この場合、文字練習シート６１の作成者は、文字練習シートの採点者となる。
【００４６】
図８は、文字練習シート６１により文字を練習した後の処理の流れを示すフローチャートである。図８を参照して、文字練習シート６１の作成者は、この手書きにより文字を練習した文字練習シート６１を再び、ＡＤＦ２２にセットする。
【００４７】
ＡＤＦ２２へ文字練習シート６１がセットされ（Ｓ３１において、ＹＥＳ）、スタートキー３２の押下を検知されると（Ｓ３２）、ＡＤＦ２２にセットされた文字練習シート６１は、画像読み取り部１４により読み取られる（Ｓ３３）。
【００４８】
その後、手書き文字が抽出され、手書き文字の一致率が算出される（Ｓ３４）。この場合も、対応する見本文字に投影した際の重なりの程度により算出する。
【００４９】
その後、向上度合い算出部４８は、複合機ハードディスク１７に記憶された一致率と、今回の文字練習シート６１を読み取って算出された一致率とを比較する。そして、向上度合いを算出する（Ｓ３５）。具体的には、複合機ハードディスク１７に記憶された一致率が７０％であり、文字練習シート６１を読み取った後の一致率を９０％とした場合、向上度合いを２０％として算出する。向上度合いを算出後、算出された向上度合いを、表示画面２１に表示する（Ｓ３６）。
【００５０】
以上より、このような印刷システム２４によると、手書きされた手書き原稿を読み取らせれば、見本文字と手書き文字との一致率に基づいて練習対象となる文字を抽出し、サーバーハードディスク２６に格納された見本文字を導出して、文字練習シート６１を作成することができる。したがって、このような印刷システム２４によると、手書き文字の文字練習シート６１を容易に作成することができる。
【００５１】
この場合、一致率が第一の割合以下であると判断された手書き文字と類似する類似の見本文字のデータをサーバーハードディスク２６から導出する類似文字データ導出部４６を備える構成である。そして、文字練習シート作成部４４は、見本文字の横に類似文字データ導出部４６により導出された類似見本文字を示し、示された類似見本文字の横に手書き練習用の欄を設けて文字練習シート６１を作成することとしている。したがって、類似する文字についても練習することができ、文字練習シート６１の作成者の要望に沿った文字練習シート６１を作成することができる。
【００５２】
また、この場合、文字練習シート作成部４４は、見本文字を灰色で示した練習用文字を、手書き練習用の欄に示して文字練習シート６１を作成することとしている。したがって、文字練習の対象者にとって効果的な手書き文字の文字練習シート６１を作成することができる。
【００５３】
また、この場合、文字練習シート６１で練習を行う文字練習の対象者の情報の入力を受け付ける入力受け付け部４７を備える構成としている。そして、文字練習シート作成部４４は、入力受け付け部４７により受け付けられた文字練習の対象者の情報に基づいて、文字練習シート６１を作成することとしている。こうすることにより、より文字練習の対象者に応じた適切な文字練習シート６１を作成することができる。
【００５４】
また、この場合、画像読み取り部１４により、練習後の文字練習シート６１を読み取れば、判断部４３により一致率の向上度合いを算出して出力する向上度合い算出部４８を備える構成である。したがって、練習後の手書き文字の向上度合いを文字練習シート６１の作成者が容易に認識することができる。ここで、向上度合いが低く、文字練習による改善が見られないものがある場合には、再度文字練習シート６１を作成して印刷するようにしてもよい。また、この文字練習シート６１の作成の履歴を文字練習シート６１の作成者が管理することにより、文字練習の対象者の練習度合いを文字練習シート６１の作成者が把握することができる。
【００５５】
なお、上記の実施の形態において、判断部４３は、一致率が第一の割合よりも低い第二の割合以下であるか否かを判断し、判断部４３により一致率が第二の割合以下であると判断されれば、手書き文字に対応する文字の候補を表示して文字練習シート６１の作成者に選択させる選択部をさらに備える構成としてもよい。なお、この処理については、図５のＳ１６における手書き文字の抽出の後に行われる。第二の割合としては、上記した第一の割合が８０％であった場合、例えば、６０％が選択される。例えば、一致率が６０％以下であった場合、正しい文字の候補が複数存在することになってしまう。このような場合において、正しい文字の候補を表示画面２１により表示し、文字練習シート６１の作成者に選択できるようにする。こうすることにより、より確実に、文字練習の対象とする文字を正確に抽出することができる。なお、一致率が極端に低い場合については、候補が多数上がってしまうため、この場合は、候補として上がる文字をランダムにして主記憶メモリ１９に記憶させるようにしてもよい。
【００５６】
また、上記の実施の形態においては、サーバー２５のハードディスク２６に、見本文字のデータが格納されていることとしたが、これに限らず、複合機１１の複合機ハードディスク１７に見本文字のデータが格納されていることとしてもよい。すなわち、複合機１１は、見本文字のデータを格納する格納部としての複合機ハードディスク１７を備える構成としてもよい。
【００５７】
すなわち、この発明の他の実施形態に係る印刷装置としての複合機１１は、手書き文字の文字練習シートを作成して印刷する。複合機１１は、画像読み取り部１４と、印刷部１５と、手書き文字データ抽出部４１と、格納部としての複合機ハードディスク１７と、見本文字データ導出部４２と、判断部４３と、文字練習シート作成部４４と、印刷制御部４５とを備える。画像読み取り部１４は、原稿の画像を読み取る。印刷部１５は、画像を形成して用紙に印刷する。手書き文字データ抽出部４１は、画像読み取り部１４により読み取られた原稿の画像から、ＯＣＲにより手書き文字を抽出する。複合機ハードディスク１７は、見本文字のデータを格納する。見本文字データ導出部４２は、手書き文字データ抽出部４１により抽出された手書き文字に対応する見本文字のデータを複合機ハードディスク１７から導出する。判断部４３は、手書き文字データ抽出部４１により抽出された手書き文字と見本文字データ導出部４２により導出された見本文字との一致率が第一の割合以下であるか否かを判断する。文字練習シート作成部４４は、判断部４３により一致率が第一の割合以下であると判断されれば、手書き文字に対応する見本文字を示し、示された見本文字の横に手書き練習用の欄を設けた文字練習シートを作成する。印刷制御部４５は、文字練習シート作成部４４により作成された文字練習シートを印刷部１５により用紙に印刷するよう制御する。このように構成してもよい。もちろん、この場合も、複合機ハードディスク１７は、類似の見本文字のデータを格納することにしてもよい。
【００５８】
なお、上記の実施の形態において、手書き文字データ抽出部４１は、文字練習シート６１の採点者等が記載した色つきの文字を、抽出の対象外としてもよい。この色つきの文字については、文字練習の対象者以外の者が手書きした可能性が高いため、この文字を抽出の対象外とすることにより、より精度の高い文字練習の対象者のための文字練習シート６１を作成することができる。
【００５９】
また、上記の実施の形態においては、入力受け付け部４７により受け付けられた文字練習の対象者の情報に基づいて、文字練習シート６１を作成することとしたが、これに限らず、入力受け付け部４７を備えない構成とし、文字練習の対象者の情報に関わらず、文字練習シート６１を作成することとしてもよい。さらに、文字練習の対象者の情報については、文字練習の対象者の年齢や学年によらず、他の情報、例えば、文字練習の対象者の文字練習の回数等に基づいて文字練習シート６１を作成することとしてもよい。
【００６０】
なお、上記の実施の形態においては、類似文字データ導出部４６を備える構成としたが、これに限らず、類似文字データ導出部４６を備えない構成としてもよく、類似文字については、文字練習シート６１の作成に反映させなくともよい。また、類似文字が多数ある場合には、任意に選択して文字練習シート６１の作成に反映させるようにしてもよい。
【００６１】
また、上記の実施の形態においては、見本文字を灰色で示した練習用文字を、手書き練習用の欄に示して文字練習シート６１を作成することとしたが、文字練習シート作成部４４は、手書き練習用の欄に示された練習用文字の灰色の濃淡を変えて複数示して作成することにしてもよい。こうすることにより、より文字練習シート６１による手書き文字の練習を効率的に行うことができる。さらには、文字練習シート６１のフォームは、図７に示すものに限られず、文字練習シート６１の作成者の要望等により任意に変更等することができる。具体的には、見本文字に書き順を付加したものとしてもよいし、灰色で示されるなぞり文字６７ａを多く設けることにしてもよい。また、漢字の場合については、部首のみ灰色で示してもよい。また、見本文字の表示について、細い破線のガイド線のみで表示するようにしてもよい。また、一文字内で一致率の低い部分だけ、灰色で表示するようにしてもよい。
【００６２】
なお、上記の実施の形態において、手書き文字データ抽出部４１は、手書き前の原稿のフォームを画像読み取り部１４により読み取らせて、これを手書き文字の抽出に利用することにしてもよい。すなわち、手書き文字データ抽出部４１は、画像読み取り部１４により、手書き前の原稿と手書き後の原稿とが読み取られれば、画像読み取り部１４により読み取られた手書き前の原稿と手書き後の原稿との差分から、手書き文字データを抽出するよう構成してもよい。この場合、手書き前の原稿については、手書き後の原稿の読み取り前に読み取らせてもよいし、手書き後の原稿の読み取り後に読み取らせてもよい。こうすることにより、より容易に手書き文字を抽出することができる。
【００６３】
今回開示された実施の形態はすべての点で例示であって、どのような面からも制限的なものではないと理解されるべきである。本発明の範囲は上記した説明ではなく、特許請求の範囲によって規定され、特許請求の範囲と均等の意味および範囲内でのすべての変更が含まれることが意図される。
【産業上の利用可能性】
【００６４】
この発明に係る印刷システム、および印刷装置は、手書き文字の文字練習シートの容易な作成が要求される場合に、特に有効に利用される。
【符号の説明】
【００６５】
１１  複合機、１２  制御部、１３  操作部、１４  画像読み取り部、１５  印刷部、１６  給紙カセット、１７  複合機ハードディスク、１８  ネットワークインターフェース部、１９  主記憶メモリ、２１  表示画面、２２  ＡＤＦ、２３  ネットワーク、２４  印刷システム、２５  サーバー、２６  サーバーハードディスク、２７  ディスプレイ、２８  キーボード、２９  マウス、３１  テンキー、３２  スタートキー、３３  電源キー、３４  メニューキー、３５  登録キー、３６  リセットキー、４１  手書き文字データ抽出部、４２  見本文字データ導出部、４３  判断部、４４  文字練習シート作成部、４５  印刷制御部、４６  類似文字データ導出部、４７  入力受け付け部、４８  向上度合い算出部、５１，５２  メッセージ、５３  年齢入力受け付け部、５４  学年入力受け付け部、５５  確定キー、６１  文字練習シート、６２  文字、６３  記入欄、６４，６５ａ，６５ｂ，６５ｃ，６５ｄ，６５ｅ  文字練習領域、６６ａ  見本文字、６７ａ  なぞり文字、６８ａ  空欄。
【図１】
0006569602.tif 000002
【図２】
0006569602.tif 000003
【図３】
0006569602.tif 000004
【図４】
0006569602.tif 000005
【図５】
0006569602.tif 000006
【図６】
0006569602.tif 000007
【図７】
0006569602.tif 000008
【図８】
0006569602.tif 000009